(57)【要約】      （修正有）【課題】釣り用ウキをワッシャー形状の錘を使って浮力調整する場合に、釣り人が思う必要個数のワッシャー形状の錘を竿先から延びる釣り糸に、失敗することなく一度に複数個を確実に通し入れることのできる釣り用ウキ浮力調整保持具を提供する。【解決手段】ワッシャー形状の錘４の内径に挿入可能な棒状の保持部材３と、棒状の保持部材３に連結された、ワッシャー形状の錘４の内径より大きな径の挟み手部材５と、挟み手部材５の反対側の、棒状の保持部材３の先端より内部に釣り糸６を挿入可能な釣り糸挿入孔２を設けている。【選択図】図１
2019193585.tif 000002
【特許請求の範囲】
【請求項１】
魚釣りで使う、ウキの浮力調整に用いるワッシャー形状の錘の内径に挿入可能な棒状の保持部材と、前記棒状の保持部材に連結された、前記ワッシャー形状の錘の内径より大きな径の挟み手部材と、前記挟み手部材の反対側の、前記棒状の保持部材の先端より内部に釣り糸を、挿入可能な釣り糸挿入孔を設けたことを特徴とする釣り用ウキ浮力調整用錘保持具。
【請求項２】
前記、棒状の保持部材の先端に、外径が、前記ワッシャー形状の錘の内径より大きくて、前記棒状の保持部材の外径より内径が小さな、変形可能な軟質材による栓を設けたことを特徴とする請求項１記載の釣り用ウキ浮力調整用錘保持具。
【発明の詳細な説明】
【技術分野】
【０００１】
この発明は、魚釣りで使う釣り用ウキをワッシャー形状の錘により、浮力調整をする際に使う、ワッシャー形状の錘を保持するための道具に関する。
【背景技術】
【０００２】
従来、ウキ自体をワッシャー形状の錘で浮力調整するウキの場合、例えば水面に垂直方向に浮く中通しウキの場合では、中通しウキの中を通る釣り糸通し孔の水面に浮いた側の口径が水中に沈む側の口径より大きくしてある釣り用ウキで、この釣り糸通し孔の口径を大きくした所に、あらかじめ竿先から延びる釣り糸に必要個数のワッシャー形状の錘の内穴から、前記釣り糸を通し入れることで取り付けて、その後に釣り用ウキ、その他の釣り道具であるウキストッパー、ハリス、釣針等を取り付けて釣りをする仕掛けが完成となる。
ここで、釣り糸通し孔の口径を大きくした所を、以降の説明では釣り糸通し孔口径大部と明記する。
【０００３】
しかしながら、このワッシャー形状の錘の大きさは、中通しウキの浮力を微調整できるようにもするために大きさが小さい、このため携帯する、またはタックルバッグなどに入れるためには、例えば小ケースなどに入れておく必要がある。
これにより、釣りをする際中に、前記小ケースを携帯した場合に、釣り用ウキの浮力調整をする時、フィシングベスト(救命着)のポケットからワッシャー形状の錘の入った小ケースを取り出し、蓋を開け、中からワッシャー形状の錘を取り出し、竿先から延びる釣り糸にワッシャー形状の錘を挿入し取り付けするのに１個ずつ取り付けなければならなかった。
また、ワッシャー形状の錘の必要個数が多い場合は、何度もワッシャー形状の錘を１個ずつ取り付ける動作を繰り返すため時間をようし大変面倒な作業であった。
また、中には釣り糸に取り付けるのに失敗して、ワッシャー形状の錘を落としてしまうことも良くあり、小さなものなので１度落とすと見つけにくいし、水中に入れば回収が不可能となるために大変に不経済でもあった。
【発明の概要】
【発明が解決しようとする課題】
【０００４】
よって、小さなワッシャー形状の錘の入った小ケースを、フィッシングベストなどのポケットから釣り用ウキの浮力調整するたびに取り出し、小ケースからワッシャー形状の錘を１個ずつ取り出して、釣り人が思う必要個数を竿先から延びる釣り糸の先端部に取り付ける作業を、もっと簡単にでき、さらに、釣り人が思う必要個数のワッシャー形状の錘を一度に竿先から延びる釣り糸の先端部分に、失敗することなく簡単に取り付けることができる道具である、釣り用ウキ浮力調整用錘保持具を提供することを目的としている。
【課題を解決するための手段】
【０００５】
請求項１記載によれば、魚釣りで使うウキの浮力調整に用いるワッシャー形状の錘の内径に挿入可能な棒状の保持部材と、前記棒状の保持部材に連結された、前記ワッシャー形状の錘の内径より大きな径の挟み手部材と、前記挟み手部材の反対側の、前記棒状の保持部材の先端より内部に釣り糸を、挿入可能な釣り糸挿入孔を設けたことを特徴とするものである。
請求項２記載によれば、前記棒状の保持部材の先端に、外径が、前記ワッシャー形状の錘の内径より大きくて、前記棒状の保持部材の外径より内径が小さな、変形可能な軟質材による栓を設けたことを特徴とするものである。
【発明の効果】
【０００６】
本発明の釣り用ウキ浮力調整用錘保持具においては、釣り人が思う必要個数のワッシャー形状の錘を竿先から延びる釣り糸に取り付ける場合、前記釣り用ウキ浮力調整用保持具の棒状の保持部材の挟み手部材の反対側の先端より内部に設けられ釣り糸挿入孔に、竿先から延びた釣り糸の先端部を挿入することで釣り糸と、前記棒状の保持部材とが一体化する。
このため、前記棒状の保持部材に挿着してあるワッシャー形状の錘を、竿先から延びる釣り糸の先端部に、釣り人が思う必要個数のワッシャー形状の錘を確実に落下させることもなく一度に複数個でも挿入取り付けが簡単にできる。
【０００７】
また、反対に竿先から延びる釣り糸からワッシャー形状の錘を取り外す場合も、前記棒状の保持部材の挟み手部材の反対側先端部より内部に設けられた釣り糸挿入孔に、竿先から延びた釣り糸の先端部を挿入することで、前記棒状の保持部材と、竿先から延びた釣り糸の先端部とが一体化するため、簡単に一度に釣り人が思う複数個のワッシャー形状の錘でも落下させることもなく取り外すことが出来る。
これにより、釣り用ウキの浮力調整にかかる時間の短縮と作業が簡単となる。
また、ワッシャー形状の錘を竿先から延びる釣り糸の先端部に脱着するのに失敗して落下させ、無くすこともなくなるため大変に経済的である。
【図面の簡単な説明】
【０００８】
【図１】この発明に係る釣り用ウキ浮力調整用錘保持具を拡大した側面図である。
【図２】この発明に係る釣り用ウキ浮力調整用錘保持具を拡大した左側面図である。
【図３】この発明に係る釣り用ウキの釣り糸口径大部にワッシャー形状の錘を取り付けた状態で、竿先から水中にある付け餌までの仕掛け全体を表した側面図である。
【図４】ａ．ｂ．ｃ．はこの発明に係る釣り用ウキ浮力調整用錘保持具に挿着するワッシャー形状の錘を竿先から延びる釣り糸の先端部に取り付ける作業を順番に表した側面図である。
【図５】この発明に係る釣り用ウキ浮力調整用錘保持具の挟み手部材の反対側の棒状の保持部材の先端部に取り付ける、変形可能な軟質材で設けた栓部材を断面図で表している。
【発明を実施するための形態】
【０００９】
以下、この発明の実施例１を具体的に説明する。
【実施例】
【００１０】
図１においては、この発明の実施例１に係る釣り用ウキ浮力調整用錘保持具であって、挟み手部材の反対側の棒状の保持部材の先端部に市販のゴム管や変形可能な軟質樹脂管にて栓をすることで、ワッシャー形状の錘が釣り用ウキ浮力調整用錘保持具より外れないようにできる。
ワッシャー形状の錘を釣り用ウキ浮力調整用錘保持具から釣り用ウキに移す、または、その逆の場合も、前記栓を取り外すだけで簡単におこなえる。
ここで、釣り用ウキ浮力調整用錘保持具の材質は限定されない。例えば、合成樹脂や金属であるアルミニウムなどが採用できる。
また、ワッシャー形状の錘の大きさは、例えば、外径が４．７５mmで内径は２．９mm厚みが０．５mm程度の大きさである。
なお、前記ワッシャー形状の錘の大きさより、小さくても良いし大きくても良い。
【００１１】
以下、図１〜図５を参照して、これらの講成体を具体的に説明する。
図１この発明の実施例１に係る釣り用ウキ浮力調整用錘保持具１であって、竿先７から延びる、釣り糸６の先端部を、釣り糸挿入孔２に挿入することで釣り糸６と、棒状の保持部材３とが一体化するため、前記釣り糸６に、前記棒状の保持部材３に挿着しているワッシャー形状の錘４を落下させることなく竿先７から延びる釣り糸に移動し取り付けることができる。
図２はこの発明の実施例１に係る釣り用ウキ浮力調整用錘保持具１であって、棒状の保持部材３にはワッシャー形状の錘４が複数個、回動自在に挿着されている。
図３に示す竿先７は磯竿である。竿先７から延びる釣り糸６に通してあるワッシャー形状の錘４は、釣り用ウキ８が水面に垂直方向に浮いた状態で、釣り用ウキ８の内部に設けてある釣り糸口径大部９の中に納まっている。
前記、釣り糸口径大部９の中に釣り人が思う必要個数のワッシャー形状の錘４を脱着することで釣り用ウキ８の浮力を調整できる。
【００１２】
図４のａ〜ｃは、この発明の実施例１に係る釣り用ウキ浮力調整用錘保持具１の棒状の保持部材３に挿着されているワッシャー形状の錘４を、竿先７から延びる釣り糸６に挿着するようすを表している。
まず、ａでは、竿先７から延びる釣り糸６の先端部を釣り糸挿入孔２に挿入することで釣り糸６と棒状の保持部材３とが一体化する。
【００１３】
次に、ｂでは、片手は釣り糸６を人差し指と親指で挟み持ち、もう一方の手の親指と人差し指で棒状の保持部材３に挿着されているワッシャー形状の錘４を挟み持つ、次に、釣り糸６に移動させたいワッシャー形状の錘４と、そのまま移動させないワッシャー形状の錘４の間に、例えばワッシャー形状の錘４を挟み持っている片方の親指の爪を差し入れてワッシャー形状の錘４を２つに分ける。
これにより、前記そのまま移動させないワッシャー形状の錘４は釣り用ウキ浮力調整用錘保持具１にとどまる。
【００１４】
次に、ｃでは、釣り糸６を挟み持っている片手の位置はそのままで、もう一方の釣り用ウキ浮力調整用錘保持具１の棒状の保持部材３に挿着されているワッシャー形状の錘４を挟み持っている側の手の位置を少し上側に上げながら、挟み手部材５の反対側の棒状の保持部材３の先端側を下側に傾けることにより、釣り糸６に移動させたいワッシャー形状の錘４だけが釣り糸６側に移動することで、釣り糸６にワッシャー形状の錘４を取り付けることができる。
【００１５】
なお、ワッシャー形状の錘４の材質は限定されない。例えば金属であるステンレスや真鍮にメッキをしたものなどが採用される。
なお、釣り糸挿入孔２は挟み手部材５の反対側の棒状の保持部材３の先端より内部に挟み手部材５の中間部まで設けているが、前記棒状の保持部材３の先端より反対側の挟み手部材５の端まで、釣り用ウキ浮力調整用錘保持具１の内部を長手方向に貫通させた状態の貫通孔にした釣り糸挿入孔２にしても良い。
【００１６】
これにより、ワッシャー形状の錘４を、竿先７から延びる釣り糸６に釣り人が思う必要個数が複数個であっても、１度に失敗して落下させ無くすこともなく挿着できるため、釣り用ウキ８の浮力調整にかかる時間の短縮ができ、さらに経済的でもある。
【００１７】
図５この発明に係る釣り用ウキ浮力調整用錘保持具１の挟み手部材５の反対側の棒状の保持部材３の先端部に取り付けて、ワッシャー形状の錘４が落ちないための栓部材１４である。
この栓部材１４は、ワッシャー形状の錘４の落下防止のためだでなく棒状の保持部材３の先端部に取り付く変形可能な軟質材による栓であり、前記栓部材１４には取り付け孔１４ａが設けてある。
【００１８】
前記、栓部材１４の取り付け孔１４ａにスナップフックなどを取り付け、前記スナップフックを、例えばフィシングベスト（救命胴衣ベスト）の胸部の所にある取り付け具に取り付けて、挟み手部材５の反対側の棒状の保持部材３の先端部を、前記栓部材１４に取り付けることによって、釣り用ウキ８の浮力調整をするときに、釣り人のフィシングベストの胸部の位置に装着された釣り用ウキ浮力調整用錘保持具１を栓部材１４から取り外すだけで使えるため、今までの様にポケットからそのつど、釣り用ウキ浮力調整用錘保持具１を探し出し、取り出す手間がいらなくなるため、釣り用ウキ８の浮力調整する作業が簡単に効率よくできるようになり大変に便利である。
【００１９】
なお、栓部材１４の取り付け孔１４ａに取り付けフックなどによりピンオンリールを付けて、そのピンオンリールをフィシングベストなどの取り付け具に取り付けても良い。
また、栓部材１４の材質としては限定されない、ゴム製やエラストマー樹脂などの変形可能な軟質材などが採用できる。
【符号の説明】
【００２０】
１．            釣り用ウキ浮力調整用錘保持具
２．            釣り糸挿入孔
３．            棒状の保持部材      
４．            ワッシャー形状の錘
５．            挟み手部材
６．            釣り糸
７．            竿先
８．            釣り用ウキ
９．            釣り糸通し孔口径大部
１０．          ウキストッパー
１１．          直結部
１２．          ハリス
１３．          付け餌          
１４．          栓部材
１４ａ．        取り付け孔
【図１】
2019193585.tif 000003
【図２】
2019193585.tif 000004
【図３】
2019193585.tif 000005
【図４】
2019193585.tif 000006
【図５】
2019193585.tif 000007